(57)【要約】【課題】小型モーターの小出力を大出力に変換し、この出力によって発電し、蓄電池に充電し、家庭内の照明等に使う家庭用発電機を提供する。【解決手段】軸受け台の中央上部を回転自在な主軸が貫通し一方は発電機へと繋がっている。左側面には太陽スプロケットが固着され、主軸に一端を固着した回転アームの先端には回転自在に支持された遊星スプロケットが設けられ太陽スプロケットと係合され該遊星スプロケット軸の他端には入力重りが固着される。右側面には太陽歯車が固着され、主軸に一端を回転アームと反対方向に固着した補助アームの他端には回転自在に支持された遊星歯車が設けられ太陽歯車と噛み合い周回し該遊星歯車軸の他端には補助重りが固着される。主軸が１回転すると入力重りと補助重りは公転しながら１自転する。この主軸に軸受け台中央に設けられた小型モーターからの出力を与えることで大きな回転出力に変換することを特徴とする家庭用発電装置。【選択図】図１
2015228782.tif 000002
【特許請求の範囲】
【請求項１】
軸受け台の左側面上部に太陽スプロケットが固着された中心を回転自在に支持され貫通した主軸は発電機へと繋がり、該主軸に一端で固着し他端に前記太陽スプロケットとチェーン、歯車を介して係合する遊星スプロケットを回転自在に支持する回転アームを有し、遊星スプロケットと一体回転する遊星スプロケット軸の他端には四角柱で全長の１／３を鈍角に曲げた入力重りが全長中央で背面側に軸接続具を介して回転アームが最高位置では曲げ部を右上にして垂直に固定し、次に前記軸受け台の右側面上部に太陽歯車が固着された中心を回転自在に支持された主軸が貫通し、該主軸に一端で回転アームと反対方向に固着し他端に太陽歯車と噛み合う遊星歯車を回転自在に支持する補助アームとを有し、遊星歯車と一体回転する遊星歯車軸の他端には四角柱で全長の１／３を鈍角に曲げ背面にバランス重り部を固着した補助重りが最低位置では曲げ部を左上にして垂直に重りのセンターラインより右に位置する場所の全長中央で固着され、この補助重りの重さは前記回転アームが最低位置から上昇させるに必要な重さであり、次に主軸が１回転する間遊星スプロケットと遊星歯車は１回の自転をし、該主軸中央付近に固着された伝動部材は軸受け台中央に設置したモーターの軸に固着された伝動部材によって伝達されることを特徴とする家庭用発電装置。
【発明の詳細な説明】
【技術分野】
【０００１】本発明は重力による回転装置を応用し小型モーターの小さな出力を大きな出力に変換し、この出力により発電し、蓄電池に充電し、この電気により前記小型モーター及び家庭内の照明等に使用される家庭用発電装置として用いるものである。
【背景技術】
【０００２】従来モーターからの回転出力を大きくするには歯車等により減速させるか又はより強力なモーターを使用したのですが、本発明は動力による回転装置（特許文献１参照）を応用し、小型モーターを主軸に直結させるだけでモーターの回転速度は変わらず大きな回転出力が得られるものである。
【先行技術文献】
【特許文献】
【０００３】
【特許文献１】特開２０１４−５９２７号公報
【発明の概要】
【発明が解決しようとする課題】
【０００４】電力消費量の少ない小型モーターで発電し蓄電池に充電することができれば安全で燃料の必要としない新エネルギーとして世界から要望される。従って小型モーターの回転は減速せず小出力から大出力に変換させる回転装置として提供することを目的とする。
【課題を解決するための手段】
【０００５】軸受け台（３）の両側面上部にある軸受けを回転自在に主軸（４）が貫通し軸受け台を貫通した主軸は発電機（２）へ繋がっている。軸受け台の左側面には主軸と同心状に太陽スプロケット（９）が固着され、軸受け台の右側面には主軸と同心状に太陽歯車（２１）が固着され、主軸中央部には傘歯車Ａ（５）が固着され軸受け台中央に設置された小型モーター（７）の軸に固着した傘歯車Ｂ（６）と噛み合いモーターからの出力を主軸に伝達している。【０００６】前記太陽スプロケット（９）と係合する位置に主軸（４）と直角に回転アーム（８）の一端が固着され、回転自在な中間スプロケット（１４ａ．ｂ）と中間歯車（１６ａ．ｂ）を経由して回転アーム先端で回転自在に支持される遊星スプロケット（１０）へ係合される。
該遊星スプロケットと一体である遊星スプロケット軸（１１）の他端には四角柱で全長の１／３を鈍角に曲げた入力重り（１３）が全長中央で背面側に軸接続具（１２）を介して回転アームが最高位置０°で曲げ部を右上にして垂直に固定される。【０００７】前記太陽歯車（２１）側に貫通した主軸（４）の先端には補助アーム（２４）が一端を主軸と直角で回転アーム（８）と反対方向に固着され、他端には回転自在に支持された遊星歯車（２２）が設けられ太陽歯車と噛み合う。該遊星歯車と一体の遊星歯車軸（２３）の他端には四角柱で全長の１／３を鈍角に曲げた背面にバランス重り部（２６）を固着した補助重り（２５）が最低位置では曲げ部を左上にして垂直に重りのセンターラインより右に位置する場所の全長中央で固着される。この補助重りの重さは図２で示された回転アーム（８）が最低位置１８０°から最高位置０°に戻る為に必要な重さである。
【発明の効果】
【０００８】図２で示されるように回転アーム（８）が最高位置０°から最低位置１８０°に回転を始めると先端にある入力重りは遊星スプロケット旋回円の外側に位置を変え大きな力が主軸（４）に加わり特に９０°では最大の出力が発生する。最低位置１８０°から最高位置０°に上昇するには反対側に設けた補助重り（２５）によって回転アームは持ち上げられる。該主軸（４）に小型モーター（７）を接続すると主軸は小型モーターの出力と重りによる回転力が加わり減速せず大出力に変換させる回転装置となる。この装置により発電し、蓄電池に充電し、これにより小型モーター及び家庭内の照明等に使用される家庭用発電装置となり安全で燃料の必要としない新エネルギーとなる。
【発明を実施するための形態】
【０００９】以下、本発明の実施の形態について説明する。
図１より軸受け台（３）の軸受を主軸（４）が貫通し発電機（２）へ接続している。該軸受け台の左側面には太陽スプロケット（９）が又右側面には太陽歯車（２１）がそれぞれ主軸と同心に固着され、主軸中央部には傘歯車Ａ（５）が固着され小型モーター（７）軸に固着された傘歯車Ｂ（６）と噛み合いモーターからの出力を主軸に伝達している。
【００１０】前記太陽スプロケット（９）と係合する位置で回転アーム（８）の一端と主軸（４）は直角に固着され、太陽スプロケット（９）→  回転自在な中間スプロケット（１４ａ）と一体の中間歯車（１６ａ）→  回転自在な中間歯車（１６ｂ）と一体の中間スプロケット（１４ｂ）→  回転自在な遊星スプロケット（１０）へ係合し、回転アームが１回転すると遊星スプロケットは回転アームと同方向に１回の自転をする。該遊星スプロケットと一体である遊星スプロケット軸（１１）の他端には四角柱で全長の１／３を１３０°〜１３５°に曲げた入力重り（１３）が図２で示した全長の中央で背面側に軸接続具（１２）を介して回転アームが最高位置０°で曲げ部を右上にして垂直に固定される。
【００１１】前記太陽歯車（２１）側に貫通した主軸（４）の先端には補助アーム（２４）が一端を主軸と直角で回転アーム（８）と反対方向に固着し、他端には回転自在に支持された遊星歯車（２２）が太陽歯車と噛み合い補助アームが１回転すると遊星歯車は補助アームと同方向に１回の自転をする。該遊星歯車と一体の遊星歯車軸（２３）の他端には図３で示す様四角柱で全長の１／３をα°＝１３０°〜１３５°に曲げ背面にバランスの為の重り部（２６）を固着した補助重り（２５）が最低位置で曲げ部を左上にして垂直に重りのセンターラインより右にＡ寸法＝５ｍｍ程で全長の中央で固着される。
これにより回転アームが落下する時の負荷を小さくし又効率よく回転アームを上昇させる力となる。図３の中で補助アーム（２４）はθ＝０°〜５°に少し傾けると回転アームはより強く落下しより強く上昇し回転のバランスも良くなる。
【００１２】以上の中で伝動部材の歯数の条件は
太陽スプロケット（９）        ＝遊星スプロケット（１０）
太陽歯車（２１）              ＝遊星歯車（２２）
中間スプロケットＡ（１４ａ）  ＝中間スプロケットＢ（１４ｂ）
中間歯車Ａ（１６ａ）          ＝中間歯車Ｂ（１６ｂ）
これにより回転アーム（８）が１回転する間に遊星スプロケット（１０）は１回の自転をし又補助アーム（２４）が１回転する間に遊星歯車（２２）は１回の自転をする。
【００１３】図１で示される様に回転アーム（８）と補助アーム（２４）は主軸（４）を中心にクランク状に構成されている。図２は回転アーム側から見た入力重り（１３）の回転軌跡図であり、図４は補助アーム側から見た補助重り（２５）の回転軌跡図であるが、太陽歯車（２１）と遊星歯車（２２）が噛み合う図にすると各々の位置での補助重りが重なり分かりにくい為回転軌跡の径を大きく示した図として描く。図２より回転アームが最高位置０°から最低位置１８０°に回転を始めると回転アーム（８）先端にある入力重りは矢印の方向に自転し遊星スプロケット旋回円の外側に位置を変える。これによって回転アーム（８）は係合する太陽スプロケット（９）の力を借り矢印の方向に引っ張られ落下する力となり、これに回転アーム全体の自重と両方を合わせ落下する慣性エネルギーによって最大の出力が主軸（４）に加えられる。この時、反対側にある図４の補助重り（２５）は最低位置から矢印の方向に公転しながら自転し太陽歯車（２１）に支えられ回転アームに与える負荷を小さくして上昇する。上昇した補助重りは図４の最高位置から噛み合う太陽歯車の力を借り自転しながら公転落下し最低位置１８０°に落ちた回転アームを持ち上げる。上昇する回転アームは先端の入力重り（１３）が遊星スプロケット旋回円の内側に自転移動し太陽スプロケット（９）に支えられながら再び最高位置０°に戻る。
【００１４】以上図１に示した重力による回転装置に小型モーター（７）の出力を与えれば連続回転で大きな出力に変換し、速度も高速にすることで大きな慣性エネルギーが得られ、又アームを長く重りを重くすることで主軸（４）にはより大きな出力が生じる。この出力を発電機（２）により発電し蓄電池に充電しこの電気によって前記小型モーター及び家庭用照明等に使用する。
【図面の簡単な説明】
【００１５】
【図１】本発明の装置全体の断面図である。
【図２】本発明の実施例で回転アーム及び入力重りの回転軌跡を示した説明図である。
【図３】本説明の実施例で回転アームが最高位置０°の時の補助重り説明図である。
【図４】本発明の実施例で補助重りの回転軌跡をわかりやすく表わすため回転の径を大きく示した補助重り説明図である。
【符号の説明】
【００１６】  １  基盤                              １３  入力重り
２  発電機                            １４  中間スプロケット
３  軸受け台                          １５  中間軸
４  主軸                              １６  中間歯車
５  傘歯車Ａ                          １７  チェーン
６  傘歯車Ｂ                          ２１  太陽歯車
７  小型モーター                      ２２  遊星歯車
８  回転アーム                        ２３  遊星歯車軸
９  太陽スプロケット                  ２４  補助アーム
１０  遊星スプロケット                  ２５  補助重り
１１  遊星スプロケット軸                ２６  バランス重り部
１２  軸接続具
【図１】
2015228782.tif 000003
【図２】
2015228782.tif 000004
【図３】
2015228782.tif 000005
【図４】
2015228782.tif 000006